(57)【特許請求の範囲】
【請求項１】
呼吸装置の底面に上下に貫通孔を有するスイベル芯を固定し、上下に貫通孔を有しかつスイベル芯の軸芯方向に対して交差する開口部を有するスイベルハウジングを、前記スイベル芯の下側にスイベル芯の貫通孔の軸芯廻りに回転自在に装着し、前記開口部にはこの開口部の軸芯廻りに回転自在に中圧空気用ホ−スを装着し、前記スイベルハウジングの下側より、基端に回転ノブを備え先端を尖端部としたニ−ドルを当該貫通孔内に嵌入させ、前記ノブを回転させてニ−ドルを上下に前進又は後退させ、前記ニ−ドル尖端部とスイベル芯の貫通孔先端の段部との間の隙間を調整し、空気流量を所望の流量に調整する空気流量調整機構を備えたことを特徴とする潜水用レギュレ−タ−の呼吸装置。
【発明の詳細な説明】
【０００１】
【発明の属する技術分野】
本発明は、潜水用レギュレ−タ−の呼吸装置に関するものであって、更に言えば、潜水時の呼吸に便ならしめるための空気流量調整機能を付与した潜水用レギュレ−タ−の呼吸装置に係るものである。
【０００２】
【従来の技術】
従来より使用されている潜水用レギュレ−タ−の呼吸装置は、中圧空気用ホ−スの接続部がスイベル機構を介して呼吸装置に装着されており、通常は空気の流路は共に一定の内径で加工された部材で接続されている。即ち、流路内を流れる空気流量はその部材の内径に依存してほぼ一定となっているのが一般的な構造であった。
【０００３】
しかるに、近年に至り、潜水用レギュレ−タ−の呼吸装置における空気の流量をダイバ−の要求に応じて流量を調整しようとする提案がなされている。これは呼吸装置の流路内に弁を備え、この弁のバネの押し付け力の強弱で弁の移動量即ち弁の開き具合を調節して空気の流量を変化させようとするものである。
【０００４】
【発明が解決しようとする課題】
潜水用レギュレ−タ−の呼吸装置を使用するダイバ−は夫々要求する空気量が異なるはずであるが、前者の潜水用レギュレ−タ−の呼吸装置にあっては、中圧空気用ホ−スから送られてくる空気量は、ホ−ス及び呼吸装置の内径によってきまるが、通常はホ−ス及び呼吸装置の空気が流れる流路は一定の内径となっており、このため空気の流量はほぼ一定となっており、ダイバ−の肺活量等から要求する空気量に対して流量の調整機能を有していないという欠点がある。
【０００５】
一方、後者の場合にはこの空気量の調整機能は備えられてはいるものの、弁の開閉を司どるバネの押し付け力の変化に比例して吸気抵抗も変化してしまうという欠点があり十分なものではなかった。
【０００６】
【課題を解決するための手段】
本発明は、潜水用レギュレ−タ−の呼吸装置の空気流量を、ダイバ−の要求に応じて任意に調整可能とし、又、吸気抵抗を変えずに常に安定した吸気感のある呼吸装置を提供するものであって、その要旨は、中圧空気用ホ−スと呼吸装置との接続部（スイベル芯及びスイベルハウジング）にあって、空気流量調整機能を備えたことを特徴とする潜水用レギュレ−タ−の呼吸装置に係るものである。
【０００７】
そして具体的には、呼吸装置の底面に上下に貫通孔を有するスイベル芯を固定し、上下に貫通孔を有しかつスイベル芯の軸芯方向に対して交差する開口部を有するスイベルハウジングを、前記スイベル芯の下側にスイベル芯の貫通孔の軸芯廻りに回転自在に装着し、前記開口部にはこの開口部の軸芯廻りに回転自在に中圧空気用ホ−スを装着し、前記スイベルハウジングの下側より、基端に回転ノブを備え先端を尖端部としたニ−ドルを当該貫通孔内に嵌入させ、前記ノブを回転させてニ−ドルを上下に前進又は後退させ、前記ニ−ドル尖端部とスイベル芯の貫通孔先端の段部との間の隙間を調整し、空気流量を所望の流量に調整する空気流量調整機構を備えたことを特徴とする潜水用レギュレ−タ−の呼吸装置を提供するものである。
【０００８】
【発明の実施の形態】
本発明の潜水用レギュレ−タ−の呼吸装置にあっては、呼吸装置の底面にスイベル芯及びスイベルハウジングからなる接続部を装着し、かつスイベルハウジングには空気用ホ−スを装着したものであり、スイベルハウジングの下側から回転ノブを備えたニ−ドルを嵌入させて供給される空気流量を調整する調整機構を備えたものである。
【０００９】
そして、前記ノブを回転させてニ−ドルを上下に前進又は後退させ、前記ニ−ドル尖端部とスイベル芯の貫通孔先端の段部との間の隙間を調整し、空気流量を所望の流量に調整するものであって、このため、かかる潜水用レギュレ−タ−の呼吸装置を使用することによりダイバ−の肺活量に合せて空気を送り込むことが可能となったものであり、ホ−スから送られる空気を効率的に使用可能となったものである。
【００１０】
使用される空気流量調整機構としては、その調整が確実かつ比較的簡単な機構であり、空気流通孔とこの軸芯方向と合致した方向に移動可能なニ−ドルとからなるものである。更に言えば、前記ニ−ドルが空気流通孔（貫通孔）内に嵌入する先端を尖端部とし、回転ノブを備えた基端部と、その間に空気流通孔内の雌ネジ部に螺合する雄ネジ部と、からなるものであって、回転ノブを廻すことによってニ−ドル先端の位置を調整し、この尖端部の外表面と空気流通孔との間の隙間を調整して空気流量を所望の流量にしようとするものである。
【００１１】
【実施例】
以下、本発明の潜水用レギュレ−タ−の呼吸装置を図面をもって更に詳細に説明する。図１は本発明の潜水用レギュレ−タ−の呼吸装置の全体図を示す一部断面図であって、図２はその主要部の拡大断面図である。符号３０は呼吸装置であり、これにはマウスピ−ス３１、ゴム様のダイヤフラム３２、レバ−３３、弁３４が備えられており、マウスピ−ス３１にてダイバ−が空気を吸うと、ダイヤフラム３２が吸いよせられ、これと共にレバ−３３が作動し、弁３４が上昇して低圧空気が導かれることになる。
【００１２】
呼吸装置３０の本体の底面、即ち使用者が当該呼吸装置３０を用いた際の呼吸装置３０の下側にはスイベル芯２０が装着・固定される。かかるスイベル芯２０はその長手方向に貫通孔２１を有し、スイベル芯２０の上端は呼吸装置３０の本体の底面のほぼ中央を貫通し、この本体をはさんで設けたＯ−リング６を介して螺着される。符号７はスイベル芯２０に備えられた夫々Ｏ−リング挿着する凹溝である。一方、スイベルハウジング１１には、前記貫通孔２１と繋がる貫通孔１４が形成され、上端及び下端にＯ−リング６が備えられてスイベル芯２０との間で回転自在に係合している。
【００１３】
かかるスイベルハウジング１１には中圧空気用ホ−スの接続のための開口部１２が貫通孔１４に対して下向きに１０度の角度をもって構成されている。
【００１４】
１は中圧空気用ホ−スであって、内挿されたニップル２に対して締金具３によって加締められて各部材が互いに締結されている。そして、ニップル２の他端はナット４に係止される突起５とＯ−リング６を挿着する凹溝７を有し、接続部１０を構成するスイベルハウジング１１の開口部１２内に挿入され、ナット４を開口部１２の外面ネジ１３に螺合することによって締結し、スイベルハウジング１１と中圧空気用ホ−ス１が連結される。従って、中圧空気用ホ−ス１の軸芯方向も１０度の角度をもって配置されている。そして、ナット４の螺着力を調整することによって中圧空気用ホ−ス１はその軸芯廻りＡに回転自在となる。
【００１５】
スイベル芯２０の下端２０Ａはスイベルハウジング１１の下方に突出し、この部位に外面ネジ２２及び内面ネジ２３が刻設される。そしてナット２４が外面ネジ２２に螺合されスイベルハウジング１１が回転自在に装着される。即ち、スイベル芯２０の軸芯方向に対してスイベルハウジング１１がスイベル芯の軸芯廻りＢに回転自在とされたものであって、これは中圧空気圧用ホ−ス１の回転軸Ａとはこの例では角度８０度を保持して交差しつつ回転するものである。
【００１６】
さて、スイベル芯２０の下端２０Ａより貫通孔２１内に空気流量調整機構５０の主体をなすニ−ドル４０を上向きに挿入する。即ち、ニ−ドル４０はその先端を尖らせ（尖端部４１）、基端に外面ネジ４２を備えたものであって、尖端部４１より貫通孔２１内に挿入し基端の外面ネジ４２をスイベル芯２０の下端２０Ａの内面ネジ２３に螺合させる。そして、この両者の螺合を進めて行くとニ−ドル４０の尖端部４１がスイベル芯２０の貫通孔２１に形成された段部２５に対向する位置になり、この段部２５とニ−ドル４０の尖端部４１の外表面との間の隙間を適当に形成することにより（中圧）空気の流量が調整されることとなる。尚、ニ−ドル４０には一対の凸条４３、４３が形成され、これにてＯ−リング６を挿着する凹溝７が形成されるものであって、この凹溝７に挿着されたＯ−リング６によってスイベル芯２０の下端２０Ａの内面との間がシ−ルされる。尚、図にあっては、ニ−ドル４０を上下に前進又は後退させ易いようにノブ４４がニ−ドル４０の下側に例えば止めネジ４５等によって装着されている。
【００１７】
図３は従来のダブルスイベル型潜水用レギュレ−タ−の呼吸装置の部分図であり、この例にあっては、スイベル芯２０の下端には本発明でいうニ−ドル４０等の機能はなく、単にスイベル止めネジ２９にて装着されているだけである。従って、この潜水用レギュレ−タ−の呼吸装置を使用するダイバ−が潜水中にて呼吸した場合、ホ−スを介して導かれる空気量は何んら流量の調整もなく弁を至て呼吸に供されることになる。
【００１８】
しかるに、前記したような構造を持つ本発明の潜水用レギュレ−タ−の呼吸装置にあっては、呼吸装置の底面にスイベル芯及びスイベルハウジングを装着したものであり、スイベルハウジングの下側よりスイベル芯の貫通孔内にニ−ドルを嵌入させたものであり、このニ−ドルをノブを回転させることによって上下に前進又は後退させて空気流通路の大きさを調整することとなったもので、所望の空気流通路とすることによりダイバ−の肺活量に合せた空気量を供給することができることとなり、ボンベ内の限られた空気が有効に利用されることになる。
【００１９】
【発明の効果】
本発明は以上の通りの構造を有しているため、使用するダイバ−の肺活量に応じて必要な空気量を安定した吸気感をもって送ることができるようになったものであり、その利用価値は大きい。
【図面の簡単な説明】
【図１】図１は本発明の潜水用レギュレ−タ−の呼吸装置の全体図を示す一部断面図である。
【図２】図２は図１の潜水用レギュレ−タ−の呼吸装置の主要部の拡大一部断面図である。
【図３】図３は従来の潜水用レギュレ−タ−の呼吸装置の部分図である。
【符号の説明】
１‥‥中圧空気用ホ−ス、
２‥‥ニップル、
３‥‥締金具、
４‥‥ナット、
５‥‥突起、
６‥‥Ｏ−リング、
７‥‥凹溝、
１０‥‥接続部、
１１‥‥スイベルハウジング、
１２‥‥スイベルハウジングの開口部、
１３‥‥外面ネジ、
１４‥‥スイベルハウジングの貫通孔、
２０‥‥スイベル芯、
２０Ａ‥‥スイベル芯の下端、
２１‥‥スイベル芯の貫通孔、
２２‥‥スイベル芯の下端の外面ネジ、
２３‥‥スイベル芯の下端の内面ネジ、
２４‥‥ナット、
２５‥‥スイベル芯の貫通孔に形成された段部、
３０‥‥呼吸装置、
３１‥‥マウスピ−ス、
３２‥‥ダイヤフラム、
３３‥‥レバ−、
３４‥‥弁、
４０‥‥ニ−ドル、
４１‥‥ニ−ドルの先端（尖端部）、
４２‥‥ニ−ドルの基端の外面ネジ、
４３‥‥凸条、
４４‥‥ノブ、
４５‥‥止めネジ、
５０‥‥空気流量調整機構。
【図１】
0004023862.tif 000002
【図２】
0004023862.tif 000003
【図３】
0004023862.tif 000004